(57)【要約】【課題】より多くの種類の外部機器を操作部を用いて制御し得るテレビを提供する。【解決手段】ＤＶＤレコーダ４およびＶＴＲ５を接続する接続部２１と、ＤＶＤレコーダ４およびＶＴＲ５に対して赤外線制御信号Ｓｉｃを出力するＩＲ出力部１８と、ＤＶＤレコーダ４およびＶＴＲ５に対応するリモコンコードＣｒを含んだ制御信号Ｓｃをリモコン２０からの赤外線操作信号Ｓｉｏに基づいて生成してＩＲ出力部１８を介してＤＶＤレコーダ４およびＶＴＲ５に出力させる制御部１７と、サーバー２との間でデータ通信可能な通信部１５と、リモコンコードＣｒを記憶する記憶部１９とを備え、制御部１７は、通信部１５を介してリモコンコードＣｒをサーバー２から取得して記憶部１９に記憶させると共に記憶させたリモコンコードＣｒを用いて制御信号Ｓｃを生成する。【選択図】図１
2008160245.tif 000002
【特許請求の範囲】
【請求項１】
外部装置を接続する接続部と、前記接続部に接続されている前記外部装置に対して制御信号を出力する信号出力部と、前記外部装置に対応するリモコンコードを含んだ前記制御信号を操作部から出力された操作信号に基づいて生成すると共に当該制御信号を前記信号出力部を介して前記外部装置に出力させる制御部とを備えて、前記操作部の操作に従って前記外部装置を制御可能に構成されたテレビであって、
外部のサーバーとの間でデータ通信可能な通信部と、前記リモコンコードを記憶する記憶部とを備え、
前記制御部は、前記通信部を介して前記リモコンコードを前記サーバーから取得して前記記憶部に記憶させると共に当該記憶させたリモコンコードを用いて前記制御信号を生成するテレビ。
【請求項２】
前記接続部は、接続端子を複数備えて複数の前記外部装置を接続可能に構成され、
前記制御部は、前記接続部に前記外部装置が複数接続されているときに、当該各外部装置にそれぞれ対応する前記リモコンコードと当該各外部装置が接続されている前記各接続端子を特定可能な接続情報とを関連付けて前記記憶部に記憶させる請求項１記載のテレビ。
【請求項３】
前記接続部に接続された前記外部装置に関する装置情報を登録する登録画面を表示部に表示させる表示制御部を備え、
前記制御部は、前記登録画面を用いて登録された前記装置情報を前記記憶部に記憶させると共に当該記憶させた装置情報を用いて前記リモコンコードを取得する請求項１または２記載のテレビ。
【請求項４】
前記表示制御部は、前記外部機器から出力される画像信号に基づく画像を前記表示部に表示させる際に前記装置情報を当該画像と共に表示させる請求項３記載のテレビ。
【請求項５】
請求項１から４のいずれかに記載のテレビと、前記リモコンコードを記憶可能に構成されると共に通信回線を介して接続された前記テレビからの送信要求に応じて当該リモコンコードを当該テレビに送信するサーバーとを備えているデータ提供システム。
【請求項６】
前記サーバーは、前記送信要求されたテレビを特定可能な送信元情報を記憶すると共に、前記送信要求時に当該送信要求に対応するリモコンコードが記憶されておらずかつ当該送信要求後に当該リモコンコードを取得したときに、前記送信要求されたテレビを前記送信元情報に基づいて特定して当該テレビに対して送信可能となった旨を通知する請求項５記載のデータ提供システム。
【発明の詳細な説明】
【技術分野】
【０００１】
本発明は、操作部の操作に従って外部装置を制御可能に構成されたテレビ、およびそのテレビとテレビにデータを送信するサーバーとを備えたデータ提供システムに関するものである。
【背景技術】
【０００２】
この種のテレビとして、特開２００４−１９４３５６号公報に開示されたテレビジョン受信機が知られている。このテレビジョン受信機は、リモコン送信器、録画制御信号発生回路およびリモコン赤外線発光部等を備えて構成されている。この場合、録画制御信号発生回路の記憶領域には、外部装置としてのＶＴＲの機能に対応するリモコンコードが記憶されている。このテレビジョン受信機では、録画制御信号発生回路がリモコン送信器から出力された赤外線リモコン信号をリモコンコードを用いてＶＴＲ用のリモコン信号に変換してリモコン赤外線発光部に出力する。また、リモコン赤外線発光部がＶＴＲ用のリモコン信号に対応する赤外線リモコン信号をＶＴＲに出力する。このため、リモコン赤外線発光部をＶＴＲのリモコン受光部に向けて配置することで、テレビジョン受信機のリモコン送信器を用いてＶＴＲを制御することが可能となっている。
【０００３】
【特許文献１】特開２００４−１９４３５６号公報（第４−６頁、第１，４，５図）
【発明の開示】
【発明が解決しようとする課題】
【０００４】
ところが、従来のテレビジョン受信機には、以下の問題点がある。すなわち、このテレビジョン受信機では、録画制御信号発生回路に予め記憶されているリモコンコードを用いて赤外線リモコン信号を外部装置（ＶＴＲ）用のリモコン信号に変換することで、外部装置の制御を可能にしている。しかしながら、数多く存在する外部装置の全てに対応する数多くのリモコンコードを録画制御信号発生回路に予め記憶させるのが困難なため、このテレビジョン受信機には、制御可能な外部装置が限定されるという問題点が存在する。また、このテレビジョン受信機では、新たに発売された外部装置に対応するリモコンコードを録画制御信号発生回路に記憶させるのも困難なため、これらの外部装置に対して上記の機能を用いるのも困難である。
【０００５】
本発明は、かかる問題点に鑑みてなされたものであり、より多くの種類の外部機器を操作部を用いて制御し得るテレビおよびデータ提供システムを提供することを主目的とする。
【課題を解決するための手段】
【０００６】
上記目的を達成すべく本発明に係るテレビは、外部装置を接続する接続部と、前記接続部に接続されている前記外部装置に対して制御信号を出力する信号出力部と、前記外部装置に対応するリモコンコードを含んだ前記制御信号を操作部から出力された操作信号に基づいて生成すると共に当該制御信号を前記信号出力部を介して前記外部装置に出力させる制御部とを備えて、前記操作部の操作に従って前記外部装置を制御可能に構成されたテレビであって、外部のサーバーとの間でデータ通信可能な通信部と、前記リモコンコードを記憶する記憶部とを備え、前記制御部が、前記通信部を介して前記リモコンコードを前記サーバーから取得して前記記憶部に記憶させると共に当該記憶させたリモコンコードを用いて前記制御信号を生成する。
【０００７】
このテレビによれば、外部装置を制御する制御信号に含ませる外部装置に対応するリモコンコードを外部のサーバーから取得することにより、サーバーに記憶されている数多くの外部装置に対応するより多くの種類のリモコンコードをサーバーから取得して制御信号の生成に用いることができるため、制御可能な外部装置が記憶部に予め記憶させたリモコンコードに対応する外部装置に限定されている従来のテレビとは異なり、メーカーの種類や外部装置の新旧の区別などの制約を受けることなく、より多くの種類の外部装置をテレビに接続した状態で制御信号を用いて制御することができる。
【０００８】
また、本発明に係るテレビは、前記接続部が、接続端子を複数備えて複数の前記外部装置を接続可能に構成され、前記制御部が、前記接続部に前記外部装置が複数接続されているときに、当該各外部装置にそれぞれ対応する前記リモコンコードと当該各外部装置が接続されている前記各接続端子を特定可能な接続情報とを関連付けて前記記憶部に記憶させる。
【０００９】
このテレビによれば、接続部に外部装置が複数接続されているときに、各外部装置にそれぞれ対応するリモコンコードと各外部装置が接続されている各接続端子を特定可能な接続情報とを関連付けて記憶部に記憶させることにより、複数の外部装置を接続部に接続したとしても操作対象の外部装置やその外部装置が接続されている接続端子を指定するだけで、その外部装置に対応するリモコンコードを含んだ制御信号を出力させてその外部装置を確実に制御することができる。
【００１０】
さらに、本発明に係るテレビは、前記接続部に接続された前記外部装置に関する装置情報を登録する登録画面を表示部に表示させる表示制御部を備え、前記制御部が、前記登録画面を用いて登録された前記装置情報を前記記憶部に記憶させると共に当該記憶させた装置情報を用いて前記リモコンコードを取得する。
【００１１】
このテレビによれば、登録画面を用いて登録された外部装置に関する装置情報を記憶部に記憶させて、その装置情報を用いてリモコンコードを取得することにより、外部装置を登録する登録作業を容易に行うことができる。
【００１２】
さらに、本発明に係るテレビは、前記表示制御部が、前記外部機器から出力される画像信号に基づく画像を前記表示部に表示させる際に前記装置情報を当該画像と共に表示させる。
【００１３】
このテレビによれば、外部機器から出力される画像信号に基づく画像を表示部に表示させる際に装置情報を画像と共に表示させることにより、表示されている画像や出力されている音声がテレビのチューナから出力されている信号によるものなのか、外部装置から出力されている信号によるものなのかを確実に把握させることができる。また、複数の外部装置をテレビに接続しているときには、表示されている画像や出力されている音声がどの外部装置から出力されている信号によるものなのかを確実に把握させることができる。
【００１４】
また、本発明に係るデータ提供システムは、上記のテレビと、前記リモコンコードを記憶可能に構成されると共に通信回線を介して接続された前記テレビからの送信要求に応じて当該リモコンコードを当該テレビに送信するサーバーとを備えている。
【００１５】
このデータ提供システムによれば、テレビと、通信回線を介して接続されたテレビからの送信要求に応じてリモコンコードをテレビに送信するサーバーとを備えたことにより、テレビに接続可能な数多くの外部装置に対応するリモコンコードをサーバーに記憶させておくことで、テレビから送信される送信要求に応じて、要求されたリモコンコードを即座に送信することができるため、テレビにおいてそのリモコンコードを用いた操作部の操作により、その外部装置を即座に制御することができる。
【００１６】
また、本発明に係るデータ提供システムは、前記サーバーが、前記送信要求されたテレビを特定可能な送信元情報を記憶すると共に、前記送信要求時に当該送信要求に対応するリモコンコードが記憶されておらずかつ当該送信要求後に当該リモコンコードを取得したときに、前記送信要求されたテレビを前記送信元情報に基づいて特定して当該テレビに対して送信可能となった旨を通知する。
【００１７】
このデータ提供システムによれば、テレビからの送信要求時に送信要求に対応するリモコンコードが記憶されておらずかつ送信要求後にリモコンコードを取得したときに、そのテレビに対して送信可能となった旨を通知することにより、テレビからの送信要求時に要求されたリモコンコードが記憶されていなかったとしても、その後においてそのリモコンコードをテレビに確実に取得させることができる。
【発明を実施するための最良の形態】
【００１８】
以下、本発明に係るテレビおよびデータ提供システムの最良の形態について、添付図面を参照して説明する。図１に示すデータ提供システム１００は、本発明に係るデータ提供システムの一例であって、プロジェクションテレビ１（以下、単に「テレビ１」ともいう）およびサーバー２で構成されている。テレビ１は、本発明に係るテレビの一例であって、チューナ１１、画像音声処理部１２、表示部１３、音声出力部１４、通信部１５、ＩＲ受信部１６、制御部１７、ＩＲ出力部１８、記憶部１９、リモコン２０および接続部２１を備えて構成されている。
【００１９】
チューナ１１は、アンテナ１１ａを介して、地上アナログ放送、地上デジタル放送、ＣＳ放送およびＢＳ放送などの各種放送波を受信して放送信号Ｓｂを生成し、生成した放送信号Ｓｂを画像音声処理部１２に出力する。画像音声処理部１２は、チューナ１１から出力された放送信号Ｓｂを信号処理して画像信号Ｓｇおよび音声信号Ｓｓを生成して、画像信号Ｓｇを表示部１３に出力すると共に、音声信号Ｓｓを音声出力部１４に出力する。また、画像音声処理部１２は、本発明における表示制御部として機能し、制御部１７の制御に従い、図３，４，７，８，１０にそれぞれ示すメニュー画面Ｇｍ、外部装置登録画面Ｇｒ、通知画面Ｇｎ、外部装置選択画面Ｇｃおよび情報画像Ｇｉを表示させる画像信号Ｓｇを表示部１３に出力する。
【００２０】
表示部１３は、プロジェクタおよびスクリーンパネル等（図示せず）を備え、画像音声処理部１２から出力された画像信号Ｓｇに基づく各種の画像を表示する。具体的には、表示部１３は、画像信号Ｓｇに基づいて光変調した投写光をスクリーンパネルの背面側から投写することで各種の画像をスクリーンパネルに表示する。この場合、上記のプロジェクタは、例えば、光源と、光変調素子としての液晶ライトバルブと、投写レンズ（いずれも図示せず）とを備えて構成されている。なお、液晶ライトバルブに代えて、ＤＭＤ（Digital Micromirror Device：ＤＭＤは、米国テキサス・インスツルメンツ社の商標）を用いることもできる。音声出力部１４は、画像音声処理部１２から出力された音声信号Ｓｓに基づく音声を出力する。
【００２１】
通信部１５は、制御部１７の制御に従い、本発明における通信回線に相当するインターネット３を介してサーバー２に接続して各種のデータを送受信する。ＩＲ受信部１６は、リモコン２０から出力された赤外線操作信号Ｓｉｏを受光してリモコン２０の各キー（操作内容）に対応する操作信号Ｓｏを制御部１７に出力する。制御部１７は、テレビ１を構成する各構成要素を制御する。また、制御部１７は、接続部２１に接続された外部装置が登録操作によって登録されたときには、後述するリモコンコード取得処理５０（図５参照）を実行する。また、制御部１７は、後述する外部装置制御処理７０（図９参照）を実行して、ＩＲ受信部１６から出力された操作信号Ｓｏに基づいて制御信号Ｓｃを生成する。
【００２２】
ＩＲ出力部１８は、本発明における信号出力部に相当し、制御部１７の制御に従い、制御部１７からの制御信号Ｓｃを赤外線制御信号Ｓｉｃに変換して出力する。この場合、ＩＲ出力部１８は、複数の発光部１８ａを備えて構成され、各発光部１８ａは、図２に示すように、テレビ１に接続される各外部装置（例えば、同図に示すＤＶＤレコーダ４やＶＴＲ５）にそれぞれ近接するようにしてキャビネット内に取り付けられている。なお、制御信号Ｓｃおよび赤外線制御信号Ｓｉｃが本発明における制御信号に相当する。記憶部１９は、制御部１７の制御に従い、外部装置制御処理７０において用いられるリモコンコードＣｒ等を記憶する。リモコン２０は、本発明における操作部に相当し、同図に示すように、電源キー２０ａ、メニューキー２０ｂ、選局キー２０ｃ、カーソルキー２０ｄ、エンターキー２０ｅ、録画開始キー２０ｆ、停止キー２０ｇおよび再生キー２０ｈなどの各種キーを備えて構成され、これらのキーが操作されたときに各キーに対応する赤外線操作信号Ｓｉｏを出力する。
【００２３】
接続部２１は、図１，２に示すＤＶＤレコーダ４およびＶＴＲ５などの外部装置を接続する接続端子２１ａ（図１参照）を複数備えて構成されている。この場合、接続部２１に接続されている外部装置に対してテレビ１からの画像信号Ｓｇや音声信号Ｓｓが接続端子２１ａを介して出力され、外部装置からの画像信号Ｓｇや音声信号Ｓｓが接続端子２１ａを介してテレビ１に入力される。ここで、上記したＤＶＤレコーダ４およびＶＴＲ５は、赤外線信号（ＩＲ出力部１８から送信される赤外線制御信号Ｓｉｃ）を受信するＩＲ受信部４ａ，５ａをそれぞれ備えている。
【００２４】
サーバー２は、一例として、テレビ１の製造メーカによって運営されているコールセンター内に設置されている。また、サーバー２は、図１に示すように、制御部３１、通信部３２、記憶部３３を備えて構成されている。制御部３１は、サーバー２の各部を制御する。また、制御部３１は、テレビ１からの送信要求データＤｄによって要求された外部装置のリモコンコードＣｒを記憶部３３から読み出して、通信部３２を介してテレビ１に送信させる。また、制御部３１は、送信要求データＤｄによって要求された外部装置のリモコンコードＣｒが記憶部３３に存在しないときには、通信部３２を介して外部のサーバー等からそのリモコンコードＣｒを取得する。通信部３２は、インターネット３を介してテレビ１に接続して、制御部３１の制御に従って各種のデータを送受信する。記憶部３３は、各種の外部装置に対応するリモコンコードＣｒを記憶する。また、記憶部３３は、送信要求データＤｄの発信元であるテレビ１を特定可能なデータ（本発明における送信元情報：以下、このデータを「送信元データＤｓ」ともいう）を記憶する。
【００２５】
次に、テレビ１の全体的な動作について、図面を参照して説明する。このテレビ１では、リモコン２０の電源キー２０ａが操作されたときに、制御部１７が、ＩＲ受信部１６から出力された操作信号Ｓｏに従ってテレビ１を構成する各部に電源を供給させる。次いで、制御部１７は、チューナ１１を制御して、直前の電源切断時に選局されていたチャンネルの放送波を受信させてその放送信号Ｓｂを出力させる。続いて、画像音声処理部１２が放送信号Ｓｂを信号処理して画像信号Ｓｇおよび音声信号Ｓｓを生成して、表示部１３および音声出力部１４にそれぞれ出力する。これにより、図２に示すように、放送信号Ｓｂに基づくテレビ画像Ｇｔが表示部１３に表示されると共に、放送信号Ｓｂに基づくテレビ音声が音声出力部１４から出力される。
【００２６】
一方、図１に示すように、外部装置としてのＤＶＤレコーダ４およびＶＴＲ５を接続部２１に接続したときには、登録操作によってＤＶＤレコーダ４をテレビ１に登録する。具体的には、まず、リモコン２０のメニューキー２０ｂを操作する。この際に、リモコン２０がメニューキー２０ｂに対応する赤外線操作信号Ｓｉｏを出力し、ＩＲ受信部１６が操作信号Ｓｏを出力する。これに応じて、制御部１７が画像音声処理部１２を制御して、メニュー画面Ｇｍの表示用の画像信号Ｓｇを出力させる。これにより、図３に示すように、メニュー画面Ｇｍが表示部１３に表示される。次いで、リモコン２０のカーソルキー２０ｄおよびエンターキー２０ｅを操作して、メニュー画面Ｇｍ内の「外部装置の登録」の項目を選択する。この際に、制御部１７が画像音声処理部１２を制御して外部装置登録画面Ｇｒの表示用の画像信号Ｓｇを出力させることにより、図４に示すように外部装置登録画面Ｇｒが表示部１３に表示される。
【００２７】
この場合、ＤＶＤレコーダ４を最初に登録する際には、外部装置登録画面Ｇｒの案内に従い、カーソルキー２０ｄおよびエンターキー２０ｅを操作して、ＤＶＤレコーダ４を接続した接続端子２１ａの番号（この例では「端子１」）を選択する。次いで、ＤＶＤレコーダ４のメーカ名、機種および型番を選択する。なお、選局キー２０ｃを数字キーやアルファベットキーとして用いてメーカ名、機種および型番を外部装置登録画面Ｇｒ内の入力欄に直接入力（文字入力）することもできる。続いて、外部装置登録画面Ｇｒ内の「ＯＫ」ボタンを選択する。これに応じて、制御部１７は、図５に示すリモコンコード取得処理５０を実行する。このリモコンコード取得処理５０では、制御部１７は、選択されたメーカ名、機種および型番を示すデータ（本発明における装置情報：以下、このデータを「装置データＤａ」ともいう）と、テレビ１を他のテレビと識別可能な識別データとを含む送信要求データＤｄを生成して（ステップ５１）、通信部１５に出力する。次いで、制御部１７は、通信部１５を制御して、インターネット３を介してサーバー２に接続させる（ステップ５２）。続いて、制御部１７は、通信部１５を制御して送信要求データＤｄをサーバー２に送信させる（ステップ５３）。
【００２８】
一方、サーバー２では、通信部３２がテレビ１の通信部１５から送信された送信要求データＤｄを受信して制御部３１に出力する。これに応じて、制御部３１が、図６に示すリモコンコード送信処理６０を実行する。このリモコンコード送信処理６０では、制御部３１は、送信要求データＤｄに含まれている識別データに基づき、送信要求データＤｄの送信元であるテレビ１を特定可能な送信元データＤｓを生成して記憶部３３に記憶させる（ステップ６１）。次いで、制御部３１は、送信要求データＤｄに含まれている装置データＤａに基づいてＤＶＤレコーダ４のメーカ名、機種および型番を特定し、記憶部３３内を検索して、ＤＶＤレコーダ４に対応するリモコンコードＣｒが記憶されているか否かを判別する（ステップ６２）。この場合、制御部３１は、該当するリモコンコードＣｒが記憶部３３内に記憶されているときには、そのリモコンコードＣｒを読み出す（ステップ６３）。次いで、制御部１７は、通信部３２を制御して、リモコンコードＣｒをテレビ１に送信させる（ステップ６４）。
【００２９】
この際には、テレビ１の通信部１５が、リモコンコードＣｒを受信して制御部１７に出力する。続いて、制御部１７は、ＤＶＤレコーダ４が接続されている接続端子２１ａを特定するデータ（本発明における接続情報：以下、このデータを「接続データＤｔ」ともいう）と、ＤＶＤレコーダ４についての装置データＤａと、リモコンコードＣｒとを関連付けて記憶部１９に記憶させる（リモコンコード取得処理５０のステップ５４）。これにより、ＤＶＤレコーダ４のテレビ１への登録が完了する。
【００３０】
次に、ＶＴＲ５をテレビ１に登録するときには、上記したＤＶＤレコーダ４の登録と同様にして、外部装置登録画面Ｇｒの案内に従って操作を行う。この際に、制御部１７は、上記したリモコンコード取得処理５０のステップ５１〜５３を実行する。一方、サーバー２では、テレビ１から送信されたＶＴＲ５についての送信要求データＤｄの受信に応じて、制御部３１が上記したリモコンコード送信処理６０を実行する。この場合、例えば、ステップ６２において、ＶＴＲ５に対応するリモコンコードＣｒが記憶部３３に記憶されていないと判別したときには、制御部３１は、通信部３２を制御して、ＶＴＲ５に対応するリモコンコードＣｒがサーバー２内に存在していない旨を通知する通知データＤｎをテレビ１に送信させる（ステップ６５）。
【００３１】
この際には、テレビ１の通信部１５が、通知データＤｎを受信して制御部１７に出力する。続いて、制御部１７は、ＶＴＲ５が接続されている接続端子２１ａを特定する接続データＤｔと、ＶＴＲ５についての装置データＤａとを関連付けて記憶部１９に記憶させると共に（リモコンコード取得処理５０のステップ５４と同様の処理）、画像音声処理部１２を制御してリモコンコードＣｒを取得できなかったためにＶＴＲ５を仮登録した旨のメッセージ（図示せず）を表示部１３に表示させる。これにより、ＶＴＲ５のテレビ１への仮登録が完了する。  
【００３２】
一方、サーバー２では、制御部３１が、上記したステップ６５の実行後に、通信部３２を制御して外部サーバーに接続させて、外部サーバーからＶＴＲ５に対応するリモコンコードＣｒを通信部３２を介して取得すると共に、取得したリモコンコードＣｒを記憶部３３に記憶させる（ステップ６６）。続いて、制御部３１は、通信部３２を制御してテレビ１に接続させると共に、ＶＴＲ５に対応するリモコンコードＣｒを取得した旨を通知する通知データＤｎをテレビ１に出力する。この際には、テレビ１の通信部１５が、通知データＤｎを受信して制御部１７に出力し、制御部１７が、画像音声処理部１２を制御して通知データＤｎに基づく通知画面Ｇｎ（図７参照）を表示部１３に表示させる。
【００３３】
この場合、通知画面Ｇｎの案内に従ってユーザがリモコンコードの再取得を行う際には、リモコン２０を操作して、上記した外部装置登録画面Ｇｒを表示させて、外部装置登録画面Ｇｒ内の「再取得」ボタン（図４参照）を選択する。これに応じて、制御部１７は、上記したリモコンコード取得処理５０のステップ５１〜５３を実行して送信要求データＤｄを出力し、サーバー２の制御部３１は、上記したリモコンコード送信処理６０のステップ６１〜６４を実行してＶＴＲ５に対応するリモコンコードＣｒをテレビ１に送信する。この場合、テレビ１の制御部１７は、記憶部１９に既に記憶されているＶＴＲ５が接続されている接続端子２１ａを特定する接続データＤｔおよびＶＴＲ５についての装置データＤａと、取得したリモコンコードＣｒとを関連付けて記憶部１９に記憶させる（リモコンコード取得処理５０のステップ５４）。これにより、ＶＴＲ５のテレビ１への登録（本登録）が完了する。
【００３４】
次に、テレビ１のリモコン２０を用いて、ＤＶＤレコーダ４およびＶＴＲ５を制御する方法について説明する。例えば、接続部２１の接続端子２１ａを介してＤＶＤレコーダ４に出力されている画像信号Ｓｇおよび音声信号Ｓｓの記録（以下「録画」ともいう）をリモコン２０を用いてＤＶＤレコーダ４に実行させる際には、まず、ＤＶＤレコーダ４を制御対象の外部装置として指定する。具体的には、リモコン２０のメニューキー２０ｂを操作して、上記したメニュー画面Ｇｍを表示部１３に表示させる。次いで、カーソルキー２０ｄおよびエンターキー２０ｅを操作してメニュー画面Ｇｍ内の「外部装置の制御」の項目を選択する。これにより、図８に示すように、テレビ１に登録されている（接続されている）外部装置を一覧で示す外部装置選択画面Ｇｃが表示部１３に表示される。続いて、カーソルキー２０ｄおよびエンターキー２０ｅを操作して、外部装置選択画面Ｇｃ内に一覧表示された外部装置の中からＤＶＤレコーダ４を選択する。
【００３５】
これに応じて、制御部１７は、図９に示す外部装置制御処理７０を実行する。この外部装置制御処理７０では、制御部１７は、ＩＲ受信部１６から操作信号Ｓｏが出力されたか否か（リモコン２０から赤外線操作信号Ｓｉｏが出力されたか否か）を判別する（ステップ７１）。この場合、上記したようにＤＶＤレコーダ４に録画を実行させる際には、リモコン２０の録画開始キー２０ｆを操作する。この際に、リモコン２０から出力された録画開始キー２０ｆに対応する赤外線操作信号ＳｉｏをＩＲ受信部１６が受光して操作信号Ｓｏを出力する。
【００３６】
これに応じて、制御部１７は、ステップ７１において操作信号Ｓｏが出力されたと判別して、ＤＶＤレコーダ４が接続されている接続端子２１ａを示す接続データＤｔに関連付けられているリモコンコードＣｒを記憶部１９から読み出す（ステップ７２）。次いで、制御部１７は、読み出したリモコンコードＣｒを用いて、ＩＲ受信部１６から出力された操作信号ＳｏをＤＶＤレコーダ４の制御用の制御信号Ｓｃに変換する（ステップ７３）。続いて、制御部１７は、変換した制御信号ＳｃをＩＲ出力部１８に出力する（ステップ７４）。これに応じて、ＩＲ出力部１８が制御信号Ｓｃを赤外線制御信号Ｓｉｃに変換して出力する。
【００３７】
この際に、ＤＶＤレコーダ４では、ＩＲ受信部４ａがテレビ１のＩＲ出力部１８から出力された赤外線制御信号Ｓｉｃを受信する。次いで、ＤＶＤレコーダ４は、赤外線制御信号Ｓｉｃに従って録画を開始する。一方、テレビ１の制御部１７は、外部装置制御処理７０のステップ７４を実行した後に、終了が指示されたか否かを判別する（ステップ７５）。この場合、終了が指示されていないと判別したときには、制御部１７は、上記したステップ７１を実行する。
【００３８】
次に、ＤＶＤレコーダ４に対して録画を停止させるときには、リモコン２０の停止キー２０ｇを操作する。この際に、制御部１７は、上記したステップ７２〜７４を実行して、停止キー２０ｇに対応する操作信号Ｓｏを制御信号Ｓｃに変換してＩＲ出力部１８に出力し、ＩＲ出力部１８が制御信号Ｓｃを赤外線制御信号Ｓｉｃに変換して出力する。これにより、ＤＶＤレコーダ４による録画が停止される。次いで、ＤＶＤレコーダ４に対して、記録させた画像信号Ｓｇおよび音声信号Ｓｓの再生を実行させる際には、リモコン２０の再生キー２０ｈを操作する。この際に、制御部１７は、上記したステップ７２〜７４を実行して、再生キー２０ｈに対応する操作信号Ｓｏを制御信号Ｓｃに変換してＩＲ出力部１８に出力し、ＩＲ出力部１８が制御信号Ｓｃを赤外線制御信号Ｓｉｃに変換して出力する。これにより、ＤＶＤレコーダ４による再生が開始される。
【００３９】
この際に、制御部１７は、ＤＶＤレコーダ４から出力されて接続部２１を介して入力した画像信号Ｓｇおよび音声信号Ｓｓを画像音声処理部１２に転送することにより、その画像信号Ｓｇに基づく画像（記録画像）を表示部１３に表示させると共に、その音声信号Ｓｓに基づく音声（記録音声）を音声出力部１４から出力させる。また、制御部１７は、記憶部１９からＤＶＤレコーダ４についての装置データＤａを読み出して、ＤＶＤレコーダ４に関する情報（メーカー名、機種および型番等）を特定すると共に、画像音声処理部１２を制御して、図１０に示すように、特定した情報を示す情報画像Ｇｉを記録画像と共に表示部１３に表示させる。したがって、表示されている画像や出力されている音声がテレビ１のチューナ１１から出力されている信号によるものなのか、外部装置（ＤＶＤレコーダ４またはＶＴＲ５）から出力されている信号によるものなのかを確実に把握させることができる。また、複数の外部装置をテレビ１に接続しているときには、表示されている画像や出力されている音声がどの外部装置から出力されている信号によるものなのかを確実に把握させることができる。以下、リモコン２０の各操作キーに対する操作に応じてＩＲ受信部１６、ＩＲ出力部１８および制御部１７が上記と同様の処理を実行することにより、ＤＶＤレコーダ４が制御される。
【００４０】
次いで、リモコン２０を用いてのＤＶＤレコーダ４の制御を終了する際には、リモコン２０を操作して、上記した外部装置選択画面Ｇｃを表示部１３に表示させた後に、外部装置選択画面Ｇｃ内の「終了」ボタンを選択する。これに応じて、制御部１７は、外部装置制御処理７０のステップ７５において終了が指示されたと判別して外部装置制御処理７０を終了する。一方、リモコン２０を用いてＶＴＲ５を制御する際には、上記した外部装置選択画面Ｇｃ内に一覧表示された外部装置の中からＶＴＲ５を選択して、以下、ＤＶＤレコーダ４を制御した際の各操作と同様の操作を行う。これにより、リモコン２０を用いてＶＴＲ５を制御することができる。
【００４１】
このように、このテレビ１によれば、外部装置を制御する赤外線制御信号Ｓｉｃに含ませる外部装置に対応するリモコンコードＣｒをサーバー２から取得することにより、サーバー２に記憶されている数多くの外部装置に対応するより多くの種類のリモコンコードＣｒをサーバー２から取得して制御信号Ｓｃの生成に用いることができるため、制御可能な外部装置が記憶部に予め記憶させたリモコンコードに対応する外部装置に限定されている従来のテレビとは異なり、メーカーの種類や外部装置の新旧の区別などの制約を受けることなく、より多くの種類の外部装置をテレビ１に接続した状態でリモコン２０を用いて制御することができる。
【００４２】
また、このテレビ１によれば、接続部２１に複数の外部装置が接続されているときには、各外部装置にそれぞれ対応するリモコンコードＣｒと各外部装置が接続されている各接続端子２１ａを特定可能な接続データＤｔとを関連付けて記憶部１９に記憶させることにより、複数の外部装置をテレビ１に接続したとしても操作対象の外部装置やその外部装置が接続されている接続端子２１ａを指定するだけで、その外部装置に対応するリモコンコードＣｒを含んだ赤外線制御信号Ｓｉｃを出力させてその外部装置を確実に制御することができる。
【００４３】
さらに、このテレビ１によれば、接続部２１に接続された外部装置を登録する外部装置登録画面Ｇｒを表示させると共に、外部装置登録画面Ｇｒを用いて登録した装置データＤａを記憶部１９に記憶させて、その装置データＤａを用いてリモコンコードＣｒを取得することにより、外部装置を登録する登録作業を容易に行うことができる。
【００４４】
また、このテレビ１によれば、外部機器から出力される画像信号Ｓｇに基づく画像を表示部に表示させる際に、装置データＤａに基づく外部装置に関する情報を表示部１３に表示させることにより、表示されている画像や出力されている音声がテレビ１のチューナ１１から出力されている信号によるものなのか、外部装置から出力されている信号によるものなのかを確実に把握させることができる。また、複数の外部装置をテレビ１に接続しているときには、表示されている画像や出力されている音声がどの外部装置から出力されている信号によるものなのかを確実に把握させることができる。
【００４５】
また、このデータ提供システム１００によれば、テレビ１と、インターネット３を介してテレビ１に接続されて、テレビ１から送信される送信要求データＤｄに応じてリモコンコードＣｒをテレビ１に送信するサーバー２とを備えたことにより、テレビ１に接続可能な数多くの外部装置に対応するリモコンコードＣｒをサーバー２に記憶させておくことで、テレビ１から送信される送信要求データＤｄに応じて、要求されたリモコンコードＣｒを即座に送信することができるため、テレビ１においてそのリモコンコードＣｒを用いたリモコン操作により、その外部装置を即座に制御することができる。
【００４６】
また、このデータ提供システム１００によれば、テレビ１からの送信要求データＤｄの送信時に送信要求に対応するリモコンコードＣｒが記憶部３３に記憶されておらずかつ送信要求後にリモコンコードＣｒを取得したときにはそのテレビ１に対して送信可能となった旨を示す通知データＤｎを送信することにより、テレビ１から送信要求データＤｄが送信された時点においては要求されたリモコンコードＣｒが記憶部３３に記憶されていなかったとしても、その後においてそのリモコンコードＣｒをテレビ１に確実に取得させることができる。
【００４７】
なお、本発明は、上記の構成に限定されない。例えば、外部装置のリモコンから赤外線操作信号を出力させて、その信号に含まれているリモコンコードＣｒを出力して記憶部１９に記憶させる機能（学習機能）を備えた構成を採用することもできる。この機能を備えることで、要求されたリモコンコードＣｒがサーバー２に録されていないときには、必要最小限の操作に対応するリモコンコードだけをとりあえず記憶部１９に記憶させ、上記したように通知データＤｎが送信されたときに全ての操作に対応するリモコンコードＣｒを記憶させる使用形態に対応することができる。また、外部装置登録画面Ｇｒ内の「ＯＫ」ボタンを選択したときに、制御部１７が自動的にサーバー２からリモコンコードＣｒを取得する例について上記したが、テレビ１とサーバー２とが接続される以前に、接続の可否の選択やユーザＩＤの入力等の所定の手続きを要求する構成を採用することもできる。
【００４８】
また、ＩＲ出力部１８から出力される赤外線制御信号Ｓｉｃで外部装置を制御する例について上記したが、接続端子２１ａに接続されているケーブルを介して制御信号Ｓｃを外部装置に出力する構成や、専用のケーブルを介して制御信号Ｓｃを外部装置に出力する構成を採用することもできる。また、アプロジェクション型のテレビ１に限定されず、表示部１３として、ＣＲＴ、液晶表示パネルおよびプラズマディスプレイ等を備えた構成を採用することもできる。
【図面の簡単な説明】
【００４９】
【図１】データ提供システム１００の構成を示すブロック図である。
【図２】テレビ１、ＤＶＤレコーダ４およびＶＴＲ５の正面図である。
【図３】メニュー画面Ｇｍの表示画面図である。
【図４】外部装置登録画面Ｇｒの表示画面図である。
【図５】リモコンコード取得処理５０のフローチャートである。
【図６】リモコンコード送信処理６０のフローチャートである。
【図７】通知画面Ｇｎの表示画面図である。
【図８】外部装置選択画面Ｇｃの表示画面図である。
【図９】外部装置制御処理７０のフローチャートである。
【図１０】情報画像Ｇｉの表示画面図である。
【符号の説明】
【００５０】
１  テレビ、２  サーバー、３  インターネット、４  ＤＶＤレコーダ、５  ＶＴＲ、１５  通信部、１７  制御部、１８  ＩＲ出力部、１９  記憶部、２０  リモコン、２１  接続部、２１ａ  接続端子、３３  記憶部、１００  データ提供システム、Ｄｓ  送信元データ、Ｄａ  装置データ、Ｄｄ  送信要求データ、Ｃｒ  リモコンコード、Ｄｔ  接続データ、Ｓｃ  制御信号、Ｓｉｃ  赤外線制御信号、Ｓｉｏ  赤外線操作信号、Ｓｏ  操作信号
【図１】
2008160245.tif 000003
【図２】
2008160245.tif 000004
【図３】
2008160245.tif 000005
【図４】
2008160245.tif 000006
【図５】
2008160245.tif 000007
【図６】
2008160245.tif 000008
【図７】
2008160245.tif 000009
【図８】
2008160245.tif 000010
【図９】
2008160245.tif 000011
【図１０】
2008160245.tif 000012